(57)【要約】【課題】  半導体レーザを用いたレーザプリンタにおいて、連続印刷時であってもバイアス電流値を適切な電流値に維持する。【解決手段】  用紙に画像を形成している最中であっても、１行走査する度に、画像形成領域以外の走査領域において、ダミービデオ信号を通電してバイアス電流が適切な電流値であるか否かを判定する。これにより、連続印刷時であってもバイアス電流値を適切な電流値に維持することができるので、非常に多い枚数を連続的に印刷する場合であっても、印刷対象オブジェクトが重なってしまう、又は細線を正確に印刷することができなくなるといった印刷不良が発生してしまうことを未然に防止できる。【選択図】図７
2008020808.tif 000002
【特許請求の範囲】
【請求項１】
レーザ光により感光体を露光して静電潜像を形成し、前記静電潜像に静電吸着された現像剤を記録媒体に転写することにより記録媒体に画像を形成する電子写真方式の画像形成装置であって、
閾値以上の電流が通電されたときに発振してレーザ光を発光する半導体レーザと、
前記半導体レーザから発光されたレーザ光を偏向走査する偏向走査手段と、
前記半導体レーザから発せられるレーザ光の光量を検出する光量検出手段と、
記録媒体に画像を形成している最中であって、かつ、画像形成領域以外の走査領域において、前記半導体レーザに前記閾値未満のバイアス電流を通電する非発光状態と前記閾値以上の駆動電流を通電する発光状態とを所定周波数で切り替える第１のレーザ駆動手段と、
前記第１のレーザ駆動手段の作動時に前記光量検出手段により検出された光量に基づいて、前記バイアス電流が適切な電流値であるか否かを判定する第１のバイアス電流値判定手段と、
前記第１のバイアス電流値判定手段の判定結果に基づいて前記バイアス電流の電流値を決定するバイアス電流値決定手段と
を備えることを特徴とする画像形成装置。
【請求項２】
記録媒体に画像を形成している最中であって、かつ、画像形成領域以外の走査領域において、前記第１のレーザ駆動手段の停止中に前記駆動電流を前記半導体レーザに通電する第２のレーザ駆動手段と、
前記第２のレーザ駆動手段の停止後所定時間内に前記光量検出手段により検出された光量に基づいて、前記バイアス電流が適切な電流値であるか否かを判定する第２のバイアス電流値判定手段とを備え、
前記バイアス電流値決定手段は、前記第２のバイアス電流値判定手段の判定結果に基づいて前記バイアス電流の電流値を決定することを特徴とする請求項１に記載の画像形成装置。
【請求項３】
前記所定周波数は、ビデオクロック周波数と略等しい周波数であることを特徴とする請求項１又は２に記載の画像形成装置。
【請求項４】
通信回線を介して送信されてきたファクシミリデータを受信するファクシミリデータ受信手段を備え、
前記バイアス電流値決定手段は、前記ファクシミリデータ受信手段にて受信されたファクシミリデータに基づく画像を記録媒体に画像を形成している最中であって、前記第１のレーザ駆動手段又は前記第２のレーザ駆動手段にて前記バイアス電流が不適切な電流値であると判定された際には、画像形成を一時中断して前記バイアス電流の電流値を変更することを特徴とする請求項１ないし３のいずれか１つに記載の画像形成装置。
【請求項５】
通信回線を介して送信されてきたファクシミリデータを受信するファクシミリデータ受信手段と、
前記ファクシミリデータ受信手段にて受信されたファクシミリデータに基づく画像を記録媒体に画像を形成している最中であって、前記第１のレーザ駆動手段又は前記第２のレーザ駆動手段にて前記バイアス電流が不適切な電流値であると判定されたときに、前記ファクシミリデータ受信手段にて受信されたファクシミリデータを記憶保持するファクシミリデータ保持手段と
を備えることを特徴とする請求項１ないし３のいずれか１つに記載の画像形成装置。
【請求項６】
プリンタモード時に画像を記録媒体に画像を形成している最中であって、前記第１のレーザ駆動手段又は前記第２のレーザ駆動手段にて前記バイアス電流が不適切な電流値であると判定されたときに、前記バイアス電流を直ちに変更する場合と現在の画像形成ジョブが終了した後に前記バイアス電流を変更する場合とを使用者に選択させるための選択入力手段を備えることを特徴とする請求項１ないし５のいずれか１つに記載の画像形成装置。
【請求項７】
前記バイアス電流値決定手段は、前記光量検出手段により検出された光量が所定光量以上となったときに前記半導体レーザに通電されている電流値を前記閾値とし、この閾値に所定割合を乗じた値を前記バイアス電流の電流値とすることを特徴とする請求項１ないし６のいずれか１つに記載の画像形成装置。
【発明の詳細な説明】
【技術分野】
【０００１】
本発明は、半導体レーザを光源とする電子写真方式の画像形成装置に関するものである。
【背景技術】
【０００２】
半導体レーザは、通電電流が小さい場合は発光ダイオードのように広い波長帯域で発光し（自然発光領域）、通電電流が大きくなって閾値以上の電流が通電されると、発振して単一波長で光量が急激に増大する（レーザ発光領域）。
【０００３】
そこで、感光体の非露光時には半導体レーザに上記閾値未満のバイアス電流を通電し、露光時にはそのバイアス電流から更に通電電流を増加させることによって、レーザ光を迅速に発生させている（例えば、特許文献１参照）。
【０００４】
しかし、上記閾値は、半導体レーザが置かれた環境温度（雰囲気温度）によって変化するので、例えば特許文献１に記載発明では、画像形成装置の起動時に半導体レーザの発光量をフォトダイオードで検出しながら通電電流を増加させることで上記閾値を検出し、その閾値に一定の割合（例えば、８０％）を乗じた値をバイアス電流値としている。
【特許文献１】特開昭６３−５６４５２号公報
【発明の開示】
【発明が解決しようとする課題】
【０００５】
ところで、例えば数百〜数千枚といった非常に多い枚数を連続的に印刷すると、半導体レーザ自身の発熱等による温度上昇により、閾値が画像形成開始時（印刷開始時）における閾値に比べて大きく変化してしまう。
【０００６】
したがって、特許文献１に記載の発明のごとく、画像形成装置の起動時に検出した閾値及びこれに基づくバイアス電流値に従って連続的に画像形成（印刷）を実行していると、画像形成（印刷）中にバイアス電流値が不適切な電流値となってしまうので、印刷対象オブジェクトが重なってしまう、又は細線を正確に印刷することができなくなるといった印刷不良が発生してしまうおそれが高い。
【０００７】
本発明は、上記点に鑑み、半導体レーザを用いた電子写真方式の画像形成装置において、連続印刷時であってもバイアス電流値を適切な電流値に維持することを目的とする。
【課題を解決するための手段】
【０００８】
本発明は、上記目的を達成するために、請求項１に記載の発明では、レーザ光により感光体を露光して静電潜像を形成し、静電潜像に静電吸着された現像剤を記録媒体に転写することにより記録媒体に画像を形成する電子写真方式の画像形成装置であって、閾値以上の電流が通電されたときに発振してレーザ光を発光する半導体レーザと、半導体レーザから発光されたレーザ光を偏向走査する偏向走査手段と、半導体レーザから発せられるレーザ光の光量を検出する光量検出手段と、記録媒体に画像を形成している最中であって、かつ、画像形成領域以外の走査領域において、半導体レーザに閾値未満のバイアス電流を通電する非発光状態と閾値以上の駆動電流を通電する発光状態とを所定周波数で切り替える第１のレーザ駆動手段と、第１のレーザ駆動手段の作動時に光量検出手段により検出された光量に基づいて、バイアス電流が適切な電流値であるか否かを判定する第１のバイアス電流値判定手段と、第１のバイアス電流値判定手段の判定結果に基づいてバイアス電流の電流値を決定するバイアス電流値決定手段とを備えることを特徴とする。
【０００９】
これにより、請求項１に記載の発明では、記録媒体に画像を形成している最中であっても、画像形成領域以外の走査領域において、半導体レーザに閾値未満のバイアス電流を通電する非発光状態と閾値以上の駆動電流を通電する発光状態とを所定周波数で切り替えてバイアス電流が適切な電流値であるか否かを判定するので、連続印刷時であってもバイアス電流値を適切な電流値に維持することが可能となる。
【００１０】
したがって、非常に多い枚数を連続的に印刷する場合であっても、印刷対象オブジェクトが重なってしまう、又は細線を正確に印刷することができなくなるといった印刷不良が発生してしまうことを未然に防止できる。
【００１１】
また、バイアス電流が適切な電流値であるか否かを判定するに当たっては、請求項１に記載した第１のバイアス電流値判定手段に加えて、請求項２に記載の発明のごとく、記録媒体に画像を形成している最中であって、かつ、画像形成領域以外の走査領域において、第１のレーザ駆動手段の停止中に駆動電流を半導体レーザに通電する第２のレーザ駆動手段と、第２のレーザ駆動手段の停止後所定時間内に光量検出手段により検出された光量に基づいて、バイアス電流が適切な電流値であるか否かを判定する第２のバイアス電流値判定手段とを設け、第２のバイアス電流値判定手段の判定結果に基づいて前記バイアス電流の電流値を決定すれば、バイアス電流が低い場合及び高い場合のいずれの場合においても適切な電流値に維持することが可能となる。
【００１２】
なお、前記の所定周波数は、請求項３に記載の発明のごとく、ビデオクロック周波数と略等しい周波数とすることが望ましい。
ところで、ファクシミリ装置やファクシミリ機能を有する画像形成装置では、通常、ファクシミリデータを受信して印刷が終了すると、その印刷（受信）したファクシミリデータは消滅してしまうので、印刷終了、そのファクシミリデータを再印刷することができない。
【００１３】
このため仮に、半導体レーザの温度が上昇してバイアス電流値が不適切な電流値のまま印刷が終了すると、印刷不良が発生しても、印刷終了後に再印刷できないので、送信されてきたファクシミリの内容を使用者が把握することができないおそれがある。
【００１４】
これに対して、請求項４に記載の発明では、通信回線を介して送信されてきたファクシミリデータを受信するファクシミリデータ受信手段を備え、バイアス電流値決定手段は、ファクシミリデータ受信手段にて受信されたファクシミリデータに基づく画像を記録媒体に画像を形成している最中であって、第１のレーザ駆動手段又は第２のレーザ駆動手段にてバイアス電流が不適切な電流値であると判定された際には、画像形成を一時中断してバイアス電流の電流値を変更することを特徴としている。
【００１５】
これにより、請求項４に記載の発明では、不適切なバイアス電流値のまま印刷が終了してしまうことを未然に防止できるので、送信されてきたファクシミリの内容を使用者が把握することができないといった不具合が発生することを未然に防止できる。
【００１６】
また、請求項５に記載の発明では、通信回線を介して送信されてきたファクシミリデータを受信するファクシミリデータ受信手段と、ファクシミリデータ受信手段にて受信されたファクシミリデータに基づく画像を記録媒体に画像を形成している最中であって、第１のレーザ駆動手段又は第２のレーザ駆動手段にてバイアス電流が不適切な電流値であると判定されたときに、ファクシミリデータ受信手段にて受信されたファクシミリデータを記憶保持するファクシミリデータ保持手段とを備えることを特徴としている。
【００１７】
これにより、請求項５に記載の発明では、受信されたファクシミリデータを記憶保持するファクシミリデータ保持手段を備えているので、仮に印刷不良が発生したままファクシミリデータの印刷が終了した場合であっても、ファクシミリデータ保持手段に記憶保持されているファクシミリデータを再印刷することができる。
【００１８】
したがって、ファクシミデータ受信時に印刷不良が発生した場合であっても、バイアス電流値を最適化した後に、ファクシミリデータ保持手段に記憶保持されているファクシミリデータを再印刷すれば、ファクシミリの内容を把握することができる。
【００１９】
また、請求項６に記載の発明では、プリンタモード時に画像を記録媒体に画像を形成している最中であって、第１のレーザ駆動手段又は第２のレーザ駆動手段にてバイアス電流が不適切な電流値であると判定されたときに、バイアス電流を直ちに変更する場合と現在の画像形成ジョブが終了した後にバイアス電流を変更する場合とを使用者に選択させるための選択入力手段を備えることを特徴とする。
【００２０】
これにより、使用者が印刷ジョブ（画像形成ジョブ）を実行させている場合に、バイアス電流が不適切であると判定されたときには、使用者は、バイアス電流を直ちに変更する場合と現在の画像形成ジョブが終了した後にバイアス電流を変更する場合とを選択指示することができる。
【００２１】
なお、請求項７に記載の発明のごとく、バイアス電流値を決定（再設定）する際には、光量検出手段により検出された光量が所定光量以上となったときに半導体レーザに通電されている電流値を閾値とし、この閾値に所定割合を乗じた値をバイアス電流の電流値とすることが望ましい。
【発明を実施するための最良の形態】
【００２２】
本実施形態は、本発明に係る画像形成装置をプリンタ機能、ファクシミリ機能、及び原稿に記載された画像を読み取るスキャナ機能を有する多機能装置に適用したものであり、以下に本実施形態を図面と共に説明する。
【００２３】
１．多機能装置１の概略
図１は本実施形態に係る多機能装置１の全体斜視図である。そして、図１中、下方側の立方体部分はレーザプリンタ部１００であり、その上方側には、原稿に記載された画像を読み取る画像読取部７３０が設けられている。
【００２４】
２．レーザプリンタ部の構成
図２はレーザプリンタ部１００の要部を示す側断面図であり、このレーザプリンタ部１００は、紙面上側を重力方向上方側として設置され、通常、紙面左側を前側として使用される。
【００２５】
レーザプリンタ部１００の筐体１０３は略箱状（立方体状）に形成されており、この筐体１０３の上面側には、印刷を終えて筐体１０３から排出される用紙やＯＨＰシート等の記録媒体（以下、単に用紙という。）が載置される排紙トレイ１０５が設けられている。
【００２６】
２．１．レーザプリンタ部の内部構成
画像形成部２００は用紙に画像を形成する画像形成手段であり、フィーダ部３００は、搬送機構３５０と共に画像形成部２００に用紙を供給する搬送手段の一部を構成するものであり、搬送機構３５０は、画像形成部２００を構成する４つのプロセスカートリッジ５００ｋ、５００ｙ、５００ｍ、５００ｃに用紙を搬送する搬送手段である。
【００２７】
なお、画像形成部２００にて画像形成が終了した用紙は、中間搬送ローラ３８０及び排出シュート（図示せず。）にてその搬送方向が上方側に略１８０°転向された後、排出ローラ３９０により排出部１０７から排紙トレイ１０５に排出される。
【００２８】
２．２．フィーダ部
フィーダ部３００は、筐体１０３の最下部に収納された給紙トレイ３０１、給紙トレイ３０１の端部に対応する部位のうち用紙の搬送方向前進側上方に設けられて給紙トレイ３０１に載置された用紙を画像形成部２００に給紙（搬送）する給紙ローラ３０３、及び用紙に所定の搬送抵抗を与えることにより給紙ローラ３０３により給紙される用紙を１枚毎に分離する分離パッド３０５等を有して構成されている。
【００２９】
そして、給紙トレイ３０１に載置されている用紙は、筐体１０３内の前方側にてＵターンするようにして、筐体１０３内の略中央部に配設された画像形成部２００に搬送される。
【００３０】
また、給紙トレイ３０１から画像形成部２００に至る用紙の搬送経路のうち、略Ｕ字状に転向する部位には、略Ｕ字状に湾曲しながら画像形成部２００に搬送される用紙に搬送力を与える搬送ローラ３０７が配設され、一方、用紙を挟んで搬送ローラ３０７と対向する部位には、用紙を搬送ローラ３０７側に押さえ付ける加圧ローラ３０９が配設されている。なお、加圧ローラ３０９は、コイルバネ（図示せず。）等の弾性手段にて搬送ローラ３０７側に押圧されている。
【００３１】
そして、搬送ローラ３０７よりも用紙搬送方向下流側には、搬送ローラ３０７により搬送されてくる用紙の先端に接触することでその用紙の斜行を補正した後、その用紙をさらに画像形成部２００へ向けて搬送するレジストローラ３１１、及びレジストローラ３１１と対向して配置されたレジストコロ３１３が設けられている。なお、レジストコロ３１３はコイルバネ（図示せず。）等の弾性手段にてレジストローラ３１１側に押圧されている。
【００３２】
２．３．搬送機構
搬送機構３５０は、画像形成部２００の作動と連動して回転する駆動ローラ３５１、駆動ローラ３５１と離隔した位置に回転可能に配設された従動ローラ３５３、及び駆動ローラ３５１及び従動ローラ３５３間に巻き付けられた搬送ベルト３５５等から構成されている。
【００３３】
そして、搬送ベルト３５５が用紙を載せた状態で回転することにより、給紙トレイ３０１から搬送されてきた用紙は、レーザプリンタ部１００の前後方向に搬送されることにより４つのプロセスカートリッジ５００ｋ、５００ｙ、５００ｍ、５００ｃに順次搬送される。
【００３４】
なお、本実施形態では、搬送機構３５０の下方側に搬送ベルト３５５の表面に付着した廃トナーを除去するベルトクリーナ３６０が設けられている。
２．４．画像形成部
画像形成部２００は、スキャナユニット４００、プロセスカートリッジ５００及び定着ユニット６００等を有して構成されている。
【００３５】
本実施形態に係る画像形成部２００はカラー印刷が可能な、いわゆるダイレクトタンデム方式のものである。そして、本実施形態では、用紙の搬送方向上流側からブラック（Ｋ）、イエロー（Ｙ）、マゼンタ（Ｍ）、シアン（Ｃ）の４色のトナー（現像剤）に対応した４つのプロセスカートリッジ５００ｋ、５００ｙ、５００ｍ、５００ｃが、用紙の搬送方向に沿って直列に並んで配設されている。
【００３６】
なお、４つのプロセスカートリッジ５００ｋ、５００ｙ、５００ｍ、５００ｃはトナーの色が異なるのみで、その他は同一である。そこで、以下、４つのプロセスカートリッジ５００ｋ、５００ｙ、５００ｍ、５００ｃを総称してプロセスカートリッジ５００と記す。
【００３７】
２．４．１．プロセスカートリッジ
４つのプロセスカートリッジ５００ｋ、５００ｙ、５００ｍ、５００ｃはトナーの色が異なるのみで、その他は同一であるので、以下、プロセスカートリッジ５００ｃを例にその構造を説明する。
【００３８】
プロセスカートリッジ５００は、図２に示すように、スキャナユニット４００の下方側において着脱可能に筐体１０３内に配設されており、このプロセスカートリッジ５００は、感光ドラム５１０、帯電器５２０、及びトナー収容部５３０等を収納するケーシング５６０を有して構成されている。
【００３９】
なお、転写ローラ５７０は、搬送ベルト３５５を挟んで感光ドラム５１０と反対側にて本体フレーム（図示せず。）に回転可能に支持されている。また、本実施形態では、４つのプロセスカートリッジ５００ｋ、５００ｙ、５００ｍ、５００ｃは１つにケーシング５６０に収納されているので、これら４つのプロセスカートリッジ５００ｋ、５００ｙ、５００ｍ、５００ｃは一体的に本体フレームに対して着脱される。
【００４０】
そして、感光ドラム５１０は、用紙に転写される画像を担持する感光体をなすもので、最表層がポリカーボネート等からなる正帯電性の感光層により形成される円筒状のものである。
【００４１】
帯電器５２０は、感光ドラム５１０の表面を帯電させる帯電手段をなすもので、感光ドラム５１０の後側斜め上方において、感光ドラム５１０と接触しないように所定間隔を有して感光ドラム５１０と対向配設されている。
【００４２】
なお、本実施形態に係る帯電器５２０は、タングステン等からなる帯電用ワイヤからコロナ放電を行うことにより感光ドラム５１０の表面に略均一に正電荷を帯電させるスコロトロン型帯電器を採用している。
【００４３】
転写ローラ５７０は、感光ドラム５１０と対向して配設されて搬送ベルト３５５の回転と連動して回転し、用紙が感光ドラム５１０近傍を通過する際に、感光ドラム５１０に帯電した電荷と反対の電荷（本実施形態では、負電荷）を印刷面と反対側から用紙に作用させることにより、感光ドラム５１０の表面に付着したトナーを用紙の印刷面に転写させる転写手段をなすものである。
【００４４】
トナー収容部５３０は、トナーが収容されたトナー収容室５３１、トナーを感光ドラム５１０に供給するトナー供給ローラ５３２及び現像ローラ５３３等を有して構成されており、本実施形態に係るトナー収容部５３０は、プロセスカートリッジ５００の本体部に対して着脱可能となっている。
【００４５】
そして、トナー収容室５３１に収容されているトナーは、トナー供給ローラ５３２の回転によって現像ローラ５３３側に供給され、さらに、現像ローラ５３３側に供給されたトナーは、現像ローラ５３３の表面に担持されるとともに、層厚規制ブレード５３４により担持されたトナーの厚みが所定の厚みにて一定（均一）となるよう調整された後、スキャナユニット４００にて露光された感光ドラム５１０の表面に供給される。
【００４６】
２．４．２．定着ユニット
定着ユニット６００は、用紙の搬送方向において感光ドラム５１０より後流側に配設され、用紙に転写されたトナーを加熱溶融させて定着させるものであり、この定着ユニット６００は、本体フレームに着脱可能に組み付けられている。
【００４７】
具体的には、定着ユニット６００は、用紙の印刷面側に配設されてトナーを加熱しながら用紙に搬送力を付与する加熱ローラ６１０、及び用紙を挟んで加熱ローラ６１０と反対側に配設されて用紙を加熱ローラ６１０側に押圧する加圧ローラ６２０等を有して構成されている。
【００４８】
なお、加熱ローラ６１０は、現像ローラ５３３や搬送ベルト３５５等と同期して回転駆動され、一方、加圧ローラ６２０は、加熱ローラ６１０に接触する用紙を介して加熱ローラ６１０から回転力を受けて従動回転する。
【００４９】
２．４．３．スキャナユニット
図３（ａ）はスキャナユニット４００の概略構成を示す上面図であり、図３（ｂ）はポリゴンミラー４０２に偏向されるレーザ光を示す説明図であり、図４はスキャナユニット４００断面図である。
【００５０】
なお、図３（ａ）では反射ミラーが省略されているため、レーザ光Ｌｋ及びレーザ光Ｌｙの光路は、反射ミラーによる折り返し光路が省略された展開光路にて図示されており、その光路は図４に示す光路と等価である。
【００５１】
スキャナユニット４００は、感光ドラム５１０にレーザ光を照射することにより感光ドラム５１０の表面を露光して静電潜像を形成する露光手段である。
そして、図３に示すように、スキャナユニット４００のケーシング４０１内には、レーザ光を発光する複数個（本実施形態では、４個）のレーザダイオードＬＤｋ、ＬＤｃ、ＬＤｍ、ＬＤｙ（以下、これらレーザダイオードを総称するときは、レーザダイオードＬＤと記す。）が設けられており、ケーシング４０１内の略中央には、レーザダイオードＬＤから発光されたレーザ光を偏向走査する偏向走査手段をなすポリゴンミラー４０２が設けられている。
【００５２】
なお、ポリゴンミラー４０２は、電動モータ４０３（図４参照）によって回転駆動される回転多面鏡であり、レーザダイオードＬＤは、閾値以上の電流が通電されたときに発振してレーザ光を発光する半導体レーザである。
【００５３】
因みに、レーザダイオードＬＤｋ及びレーザダイオードＬＤｍは、ポリゴンミラー４０２の反射面と垂直な平面（水平面）に対して斜め上方側からレーザ光をポリゴンミラー４０２に対して出射し、レーザダイオードＬＤｃ及びレーザダイオードＬＤｙは、水平面に対して斜め下方側からレーザ光をポリゴンミラー４０２に対して出射する位置に配設されている。
【００５４】
そして、レーザダイオードＬＤｋはブラックの静電潜像を形成するためのレーザ光を発するものであり、このレーザダイオードＬＤｋから出射されたレーザ光Ｌｋは、シリンドリカルレンズ４０４を介してポリゴンミラー４０２に到達する。
【００５５】
ポリゴンミラー４０２で偏向されたレーザ光Ｌｋは、図４に示すように、レーザプリンタ部１００の前方側に導かれてｆθレンズ４０５を透過して反射ミラー４０６で後方側に折り返される。
【００５６】
その後、レーザ光Ｌｋは、反射ミラー４０７で下方に折り返されてトーリックレンズ４０８ｋを透過してブラック用の感光ドラム５１０ｋの表面上に照射される。このとき、ポリゴンミラー４０２が回転しているため、レーザ光Ｌｋは、感光ドラム５１０ｋの表面上をその長手方向一端側から他端側（図３（ａ）の下側から上方側）へ高速走査される。
【００５７】
また、レーザダイオードＬＤｃは、シアンの静電潜像を形成するためのレーザ光を発するものであり、このレーザダイオードＬＤｃから出射されたレーザ光Ｌｃは、シリンドリカルレンズ４０４を介してポリゴンミラー４０２に到達する。
【００５８】
そして、レーザ光Ｌｃは、ポリゴンミラー４０２にて偏向走査されてｆθレンズ４０５を透過した後、反射ミラー４０９、４１０で後方に折り返され、更に反射ミラー４１１で下方に折り返された後、トーリックレンズ４０８ｃを透過してシアン用の感光ドラム５１０ｃの表面上に高速走査されながら照射される。
【００５９】
また、レーザダイオードＬＤｍは、マゼンタ用の静電潜像を形成するためのレーザ光を発するものであり、このレーザダイオードＬＤｍから出射されたレーザ光Ｌｍは、シリンドリカルレンズ４１２を介してポリゴンミラー４０２に到達する。
【００６０】
そして、ポリゴンミラー４０２で偏向されたレーザ光Ｌｍは、レーザ光Ｌｋ、Ｌｃとは反対にレーザプリンタ部１００の後方側に導かれてｆθレンズ４１３を透過した後、反射ミラー４１４、４１５で前方側に折り返される。
【００６１】
その後、レーザ光Ｌｍは、反射ミラー４１６で下方に折り返されてトーリックレンズ４０８ｍを透過してマゼンタ用の感光ドラム５１０ｍの表面上に照射される。このとき、ポリゴンミラー４０２が回転しているため、レーザ光Ｌｍは、感光ドラム５１０ｍの表面上をその長手方向一端側から他端側（図３（ａ）の上側から下方側）へ高速走査される。
【００６２】
また、レーザダイオードＬＤｙは、イエローの静電潜像を形成するためのレーザ光を発するものであり、このレーザダイオードＬＤｙから出射されたレーザ光Ｌｙは、シリンドリカルレンズ４１２を介してポリゴンミラー４０２に到達する。
【００６３】
そして、レーザ光Ｌｙは、ポリゴンミラー４０２にて偏向走査されてｆθレンズ４１３を透過した後、反射ミラー４１７で前方側に折り返され、更に反射ミラー４１８で下方側に折り返された後、トーリックレンズ４０８ｙを透過してイエロー用の感光ドラム５１０ｙの表面上に高速走査されながら照射される。
【００６４】
また、ケーシング４０１内のうち前方側内壁面の左端には、図３（ａ）に示すように、ポリゴンミラー４０２による偏向走査開始位置（走査原点）にてレーザ光を検出する第１ＢＤ（Ｂｅａｍ  Ｄｅｔｅｃｔ）センサ４２１が配置されており、一方、ケーシング４０１内のうち後方側内壁面の左端に第２ＢＤセンサ４２２が配置されている。
【００６５】
第１ＢＤセンサ４２１は、４個のレーザダイオードＬＤから出射されて偏向走査されるレーザ光のうち、図３（ａ）の下方側から上方側に走査されるレーザ光Ｌｋ又はレーザ光Ｌｃ（本実施形態では、レーザ光Ｌｋ）を受光する受光素子であり、第２ＢＤセンサ４２２は、４個のレーザダイオードＬＤらか出射されて偏向走査されるレーザ光のうち、図３（ａ）の上方側から下方側に走査されるレーザ光Ｌｍ又はレーザ光Ｌｙ（本実施形態では、レーザ光ＬＤｙ）を受光する受光素子である。
【００６６】
そして、レーザ光Ｌｋ及びレーザ光Ｌｃは、第１ＢＤセンサ４２１がレーザ光Ｌｋを受光（検出）したタイミングに基づいて、感光ドラム５１０ｋ及び感光ドラム５１０ｃの画像形成領域へのレーザ光の照射周期、つまり感光ドラム５１０に静電潜像を形成するための露光タイミングが制御される。
【００６７】
同様に、レーザ光Ｌｍ及びレーザ光Ｌｙは、第２ＢＤセンサ４２２がレーザ光ＬＤｙを受光（検出）したタイミングに基づいて、感光ドラム５１０ｍ及び感光ドラム５１０ｙの画像形成領域へのレーザ光の照射周期が制御される。
【００６８】
すなわち、後述する制御装置７００は、第１ＢＤセンサ４２１及び第２ＢＤセンサ４２２にてレーザ光を検出した時から所定時間が経過した時に、レーザ光が画像形成領域の走査方向端部に到達したものと見なして、形成すべき画像のデータに基づいてレーザダイオードＬＤの点灯タイミング制御する。
【００６９】
４．制御系の概要
図５は、多機能装置の制御系を表すブロック図である。なお、図５では、レーザダイオードＬＤｋと制御装置７００等との接続関係のみを示しているが、レーザダイオードＬＤｃもレーザダイオードＬＤｋと全く同様である。また、レーザダイオードＬＤｍ及びレーザダイオードＬＤｙの場合には、第１ＢＤセンサ４２１の信号（第１ＢＤ信号）が第２ＢＤセンサ４２２の信号に代わるのみで、その他は図５と同様である。
【００７０】
レーザダイオードＬＤｋは、レーザダイオードＬＤｋが発生する光量検出用のフォトダイオードＰＤと共にレーザダイオードユニットＬＤｐに収納されており、フォトダイオードＰＤのアノードは、制御装置７００のＡ／Ｄ入力ポートに接続されると共に、可変抵抗器ＶＲを介して接地されている。一方、レーザダイオードＬＤｋのカソードには、高速変調回路７０１を介してＬＤパワー制御部７０２が接続されている。
【００７１】
なお、高速変調回路７０１は、制御装置７００から入力されるブラックの印刷ＤＡＴＡ信号に基づいて、レーザダイオードＬＤｋと後述するＬＤパワー制御部７０２との短絡又は絶縁を切り換えるものである。
【００７２】
また、フォトダイオードＰＤのカソードは、レーザダイオードＬＤｋのアノードと共に５Ｖの電源に接続されている。このため、フォトダイオードＰＤのアノード電圧（以下、モニタ信号という。）は、レーザダイオードＬＤｋの光量に応じて変化する。
【００７３】
ＬＤパワー制御部７０２は、制御装置７００から入力されるＰＷＭ信号をアナログの電圧に変換するＰＷＭ／Ａ変換部７０３、ＰＷＭ／Ａ変換部７０３から出力される電圧と基準電圧設定部７０４にて設定される基準電圧との差を所定ゲインで増幅する比較回路エラーアンプ７０５、及び比較回路エラーアンプ７０５の出力に応じてレーザダイオードＬＤｋへの駆動電流を制御するＬＤ駆動電流制御回路７０６等を有して構成されている。
【００７４】
そして、レーザダイオードＬＤｋのカソードには、高速変調回路７０１及びＬＤパワー制御部７０２と並列にバイアス制御部７０７が接続されており、このバイアス制御部７０７は、制御装置７００から入力されるＰＷＭ信号をアナログの電圧に変換するＰＷＭ／Ａ変換部７０８、及びＰＷＭ／Ａ変換部７０８から出力される電圧に応じてレーザダイオードＬＤｋに供給する電流を制御するＬＤバイアス電流制御回路７０９を有して構成されている。
【００７５】
制御装置７００は、印刷ＤＡＴＡ信号がＯＮのとき、つまり高速変調回路７０１が短絡状態のときに、アナログ信号（ＡＮＡＬＯＧ信号）として入力されたモニタ信号に応じたＰＷＭ信号をＬＤパワー制御部７０２に入力する。これにより、レーザダイオードＬＤｋの点灯時の光量が上記基準電圧に対応した値となるように、レーザダイオードＬＤｋの駆動電流が制御される。
【００７６】
また、制御装置７００は、レーザダイオードＬＤｋが消灯しているときに、レーザダイオードＬＤｋへの通電量を徐々に増加させながらフォトダイオードＰＤにより光量を検出し、その検出された光量が所定光量（以下、この光量を露光光量という。）以上となったときにレーザダイオードＬＤに通電されている電流値を、レーザダイオードＬＤの閾値として記憶装置７１０に記憶する。
【００７７】
そして、制御装置７００は、その記憶した閾値に所定割合（本実施形態では、０．８）を乗じた値を、レーザダイオードＬＤｋがレーザ光Ｌｋ（発振光）を発生しない程度の電流（以下、バイアス電流という。）として記憶装置７１０に記憶する。
【００７８】
なお、記憶装置７１０は、フラッシュメモリ等の電源供給が停止したときであっても、記憶内容を保持できる得るものである。
そして、制御装置７００は、レーザダイオードＬＤｋの消灯時には、印刷ＤＡＴＡ信号に対するレーザダイオードＬＤｋの応答性を向上させるべく、上記検出されたバイアス電流をバイアス制御部７０７を介して通電する。
【００７９】
また、制御装置７００は、モータ駆動回路（図示せず。）を介して、ポリゴンミラー４０２を回転駆動する電動モータ（ポリゴンモータ）４０３を制御し、かつ、制御装置７００には、第１ＢＤセンサ４２１の検出信号である第１ＢＤ信号が入力されている。
【００８０】
また、ファクシミリ回路７２０は、公衆電話回線（図示せず。）から送信されてきたファクシミリデータを受信するとともに、画像読取部７３０にて読み込んだ原稿データをファクシミリデータに変換して送信するファクシミリデータ送受信手段である。
【００８１】
５．バイアス電流の制御
５．１．バイアス電流制御の概要
レーザダイオードＬＤが大きく発振し始める閾値は、前述したように、レーザダイオードＬＤが置かれた環境温度によって大きく変化する。
【００８２】
そこで、本実施形態では、コンピュータから印刷命令が発せられてレーザプリンタ部１００で印刷開始されると、レーザ光が１行走査（スキャン）される毎に現在のバイアス電流（閾値）が適切であるか否かを検出し、その検出結果に基づいてバイアス電流（閾値）を補正している。以下のその詳細を説明する。
【００８３】
図６は、原点検出信号、ビデオ信号及びモニタ信号と時間との関係を示すタイムチャートである。なお、原点検出信号とは、レーザダイオードＬＤの点灯を制御する信号のうち偏向走査開始位置（走査原点）を検出するための信号であり、ビデオ信号とは、レーザダイオードＬＤの点灯を制御する信号のうち、実際に用紙に画像を形成するための信号であり、モニタ信号とは、フォトダイオードＰＤの出力信号である。
【００８４】
因みに、図６（ａ）はバイアス電流が適正な場合を示し、図６（ｂ）はバイアス電流が適正値より小さい場合を示し、図６（ｃ）はバイアス電流が適正値より大きい場合を示している。
【００８５】
また、原点検出信号は、走査原点が初めて検出された後においては、レーザ光を１行走査するにめに必要な時間を１周期として周期的にＯＮ状態となるので、図６の横軸（時間）は、感光ドラム５１０に照射されるレーザ光の位置に対応する。
【００８６】
つまり、モニタ信号の電圧（以下、モニタ電圧という。）が上昇してがＨｉ状態となった時から第１所定時間が経過した後の第２所定時間の区間（図６のＡ）は、感光ドラム５１０における走査領域のうち画像形成領域を示し、第２所定時間が経過した後の第３所定時間の区間（図６のＢ）は、感光ドラム５１０における走査領域のうち画像形成領域以外の走査領域を示す。
【００８７】
したがって、原点検出信号は、画像形成領域以外の走査領域にてＯＮ状態となり、モニタ電圧がＨｉ状態となった時から次ぎのＨｉ状態までの間にレーザ光が１行分、走査される。
【００８８】
なお、原点検出信号又はビデオ信号のＯＮ信号（ＯＮ状態）とは、前記した閾値より高い電流をレーザダイオードＬＤに通電させて発光させることをいう。また、原点検出信号又はビデオ信号のＯＦＦ信号（ＯＦＦ状態）とは、バイアス電流をレーザダイオードＬＤに通電することをいい、正常なＯＦＦ状態では、モニタ電圧は略０Ｖとなる。
【００８９】
そして、本実施形態に係る多機能装置１では、レーザ光が１行走査（スキャン）される毎、つまり１行分のビデオ信号の出力が終了する毎に、画像形成領域以外の走査領域のうち原点検出信号がＯＮ状態となる前の走査領域（図６のＣの区間）において、ダミービデオ信号をレーザダイオードＬＤに通電するとともに、その際にフォトダイオードＰＤにより検出された光量に基づいて、バイアス電流が適正値より小さいか否かを判定する。
【００９０】
なお、ダミービデオ信号とは、レーザダイオードＬＤにバイアス電流を通電する非発光状態と閾値以上の電流をレーザダイオードＬＤに通電する発光状態とを所定周波数で切り替えるためのビデオ信号をいい、本実施形態では、前記の所定周波数として、ビデオクロック周波数と略等しい周波数を採用している。
【００９１】
因みに、ビデオクロック周波数とは、レーザダイオードＬＤを点滅させることができる最大周波数をいい、このビデオクロック周波数は、通常、レーザダイオードＬＤや高速変調回路７０１等の仕様によって決定される。
【００９２】
そして、バイアス電流が適正値より小さいか否かの判定は、以下のように行う。
すなわち、ダミービデオ信号がＯＦＦ状態であるときは、レーザダイオードＬＤに閾値より低いバイアス電流が通電されているので、仮にバイアス電流が適正値の場合には、モニタ電圧は略０Ｖとなる。
【００９３】
また、ダミービデオ信号がＯＮ状態であるときは、レーザダイオードＬＤに閾値より高い電流が通電されているので、仮にバイアス電流が適正値の場合には、レーザダイオードＬＤの光量は、露光光量より大きな光量となり、モニタ電圧はＨｉ状態となる。
【００９４】
このとき、フォトダイオードＰＤは、ダミービデオ信号によるレーザダイオードＬＤの点滅周期に追従することができないので、仮にバイアス電流が適正値の場合には、モニタ電圧は、図６（ａ）及び図６（ｃ）に示すように、０Ｖより高く、かつ、Ｈｉ状態より低いモニタ電圧となる。
【００９５】
しかし、仮にバイアス電流が適正値より小さい場合には、フォトダイオードＰＤにより検出された光量、つまりモニタ電圧は、図６（ｂ）に示すように、非常に小さな電圧（略０）となる。
【００９６】
そこで、本実施形態に係る制御装置７００は、画像形成領域以外の走査領域のうち原点検出信号がＯＮ状態となる前の走査領域（図６のＣの区間）において、フォトダイオードＰＤにより検出されたモニタ信号の電圧値が略０Ｖとなる場合には、バイアス電流が適正値より小さいと判定する。
【００９７】
また、ビデオ信号がＯＦＦ状態であるときは、前述したように、モニタ電圧は略０となるので、本実施形態に係る制御装置７００は、所定の画像形成領域以外の走査領域であって、かつ、原点検出信号がＯＮ状態からＯＦＦ状態となったとき（図６の区間Ｄ）におけるモニタ電圧が略０Ｖでない場合には、バイアス電流が適正値より高いと判定する。
【００９８】
５．２．補正制御フロー
図７は制御装置７００で実行されるバイアス電流（閾値）の補正制御フローを示すフローチャートであり、以下、図７に従ってバイアス電流（閾値）の補正制御を説明する。
【００９９】
多機能装置１に接続されたコンピュータ（図示せず。）からの印刷命令、又はファクシミリ回路７２０にてファクシミリデータが受信されると、先ず、第１ＢＤセンサ４２１及び第２ＢＤセンサ４２２にて偏向走査開始位置（走査原点）を決定するためのレーザ光が出射されるとともに、第１ＢＤセンサ４２１及び第２ＢＤセンサ４２２にてレーザ光が検出されたか否かが判定される（Ｓ２）。
【０１００】
そして、第１ＢＤセンサ４２１及び第２ＢＤセンサ４２２にてレーザ光が検出されなかった場合には（Ｓ１：ＮＯ）、使用者に対してエラー警告を発した状態で、レーザプリンタ部１００が停止する（Ｓ３３）。
【０１０１】
一方、第１ＢＤセンサ４２１及び第２ＢＤセンサ４２２にてレーザ光が検出された場合には（Ｓ１：ＹＥＳ）、フォトダイオードＰＤのモニタ信号が取得された後（Ｓ３）、前述した手法にてバイアス電流が適正値より大きいか否かが判定される。
【０１０２】
そして、バイアス電流が適正値より大きくないと判定された場合には（Ｓ５：ＹＥＳ）、１行走査分のビデオ信号がレーザダイオードＬＤに通電されて感光ドラム５１０が１行分露光された後（Ｓ７）、ダミービデオ信号がレーザダイオードＬＤに通電され、フォトダイオードＰＤのモニタ信号が取得される（Ｓ１１）。その後、前述した手法にてバイアス電流が適正値より小さいか否かが判定される。
【０１０３】
また、Ｓ５にてバイアス電流が適正値より大きいと判定された場合には（Ｓ５：ＮＯ）、現在の印刷ジョブは、コンピュータからの印刷命令によるプリンタモードであるか又はファクシミリデータが受信されたことによるファクシミモードであるかが判定される（Ｓ１７）。
【０１０４】
そして、ファクシミリモードであると判定された場合には（Ｓ１７：ＦＡＸモード）、現在の印刷ジョブが一時中断されてバイアス電流が再調整されるとともに、受信したファクシミリデータが記憶装置７１０に記憶される（Ｓ２１、Ｓ２９）。なお、バイアス電流が再調整は、次のようにして行われる。
【０１０５】
すなわち、制御装置７００は、レーザダイオードＬＤに通電される電流を徐々に増加させながらモニタ電圧を取得し、その取得したモニタ電圧が所定電圧以上となったときの電流値を閾値として記憶装置７１０に記憶するとともに、この閾値に所定割合を乗じた値をバイアス電流として記憶装置７１０に記憶する。
【０１０６】
そして、何らかの原因により、新たに閾値を取得できなかった場合には（Ｓ３１：ＮＯ）、バイアス電流の再調整が正常完了できなかったものとして、使用者に対してエラー警告を発した状態で、レーザプリンタ部１００が停止し（Ｓ３３）、一方、新たに閾値を取得できた場合には（Ｓ３１：ＹＥＳ）、バイアス電流の再調整が正常終了したものとして、Ｓ１に戻って、再び印刷ジョブが実行される。
【０１０７】
また、Ｓ１７にてプリンタモードであると判定された場合には（Ｓ１７：プリンタモード）、使用者に対して、「レーザプリンタ部１００にエラーが発生しているおそれがあるが、このまま印刷ジョブを続行するか、又は現在の印刷ジョブを一時中断してレーザプリンタ部１００のエラーを修正した後、印刷ジョブを再開するか否か」の選択を促すメッセージが発せられる（Ｓ１９）。
【０１０８】
そして、使用者により、現在の印刷ジョブを一時中断してレーザプリンタ部１００のエラーを修正した後、印刷ジョブを再開する旨が選択された場合には（Ｓ１９：ＮＯ）、Ｓ２１が実行され、一方、使用者により、レーザプリンタ部１００にエラーが発生しているおそれがあるが、このまま印刷ジョブを続行する旨が選択された場合には（Ｓ１９：ＹＥＳ）、Ｓ７が実行される。
【０１０９】
また、Ｓ１３にてバイアス電流が適正値より小さいと判定された場合には（Ｓ１３：ＮＯ）、現在の印刷ジョブは、プリンタモードであるか又はファクシミモードであるかが判定され（Ｓ２３）、ファクシミリモードであると判定された場合には（Ｓ２３：ＦＡＸモード）、現在の印刷ジョブが一時中断されてバイアス電流が再調整されるとともに、受信したファクシミリデータが記憶装置７１０に記憶される（Ｓ２７、Ｓ２９）。
【０１１０】
また、Ｓ２３にてプリンタモードであると判定された場合には（Ｓ２３：プリンタモード）、使用者に対して、「レーザプリンタ部１００にエラーが発生しているおそれがあるが、このまま印刷ジョブを続行するか、又は現在の印刷ジョブを一時中断してレーザプリンタ部１００のエラーを修正した後、印刷ジョブを再開するか否か」の選択を促すメッセージが発せられる（Ｓ２５）。
【０１１１】
そして、使用者により、現在の印刷ジョブを一時中断してレーザプリンタ部１００のエラーを修正した後、印刷ジョブを再開する旨が選択された場合には（Ｓ２５：ＮＯ）、Ｓ２７が実行され、一方、使用者により、レーザプリンタ部１００にエラーが発生しているおそれがあるが、このまま印刷ジョブを続行する旨が選択された場合には（Ｓ２５：ＹＥＳ）、Ｓ１５が実行される。
【０１１２】
５．本実施形態に係るレーザプリンタ部１００の特徴
本実施形態では、前述したように、用紙に画像を形成している最中であっても、１行走査する度に、画像形成領域以外の走査領域において、ダミービデオ信号を通電してバイアス電流が適切な電流値であるか否か、つまり現在のバイアス電流が適正値より小さいか否か、又は現在のバイアス電流が適正値より大きいか否かを判定するので、連続印刷時であってもバイアス電流値を適切な電流値に維持することができる。
【０１１３】
したがって、非常に多い枚数を連続的に印刷する場合であっても、印刷対象オブジェクトが重なってしまう、又は細線を正確に印刷することができなくなるといった印刷不良が発生してしまうことを未然に防止できる。
【０１１４】
ところで、通常のファクシミリ装置やファクシミリ機能を有する画像形成装置では、通常、ファクシミリデータを受信して印刷が終了すると、その印刷（受信）したファクシミリデータは消滅してしまうので、印刷終了、そのファクシミリデータを再印刷することができない。
【０１１５】
このため仮に、レーザダイオードＬＤの温度が上昇してバイアス電流値が不適切な電流値のまま印刷が終了すると、印刷不良が発生しても、印刷終了後に再印刷できないので、送信されてきたファクシミリの内容を使用者が把握することができないおそれがある。
【０１１６】
これに対して、本実施形態では、ファクシミリデータに基づく画像を用紙に画像を形成している最中、つまりファクシミリモード時において、バイアス電流が不適切な電流値であると判定された場合には、画像形成を一時中断してバイアス電流の電流値を再調整するので、不適切なバイアス電流値のまま印刷が終了してしまうことを未然に防止できる。延いては、送信されてきたファクシミリの内容を使用者が把握することができないといった不具合が発生することを未然に防止できる。
【０１１７】
また、ファクシミリモード時において、バイアス電流が不適切な電流値であると判定された場合には、ファクシミリデータを記憶するので、仮に印刷不良が発生したままファクシミリデータの印刷が終了した場合であっても、記憶保持されているファクシミリデータを再印刷することができる。
【０１１８】
したがって、ファクシミデータ受信時に印刷不良が発生した場合であっても、バイアス電流値を最適化した後に、記憶保持されているファクシミリデータを再印刷すれば、ファクシミリの内容を把握することができる。
【０１１９】
また、本実施形態では、プリンタモード時にバイアス電流が不適切な電流値であると判定されたときに、バイアス電流を直ちに変更する場合と現在の画像形成ジョブが終了した後にバイアス電流を変更する場合とを使用者に選択させるので、使用者が印刷ジョブを実行させている場合に、バイアス電流が不適切であると判定されたときには、使用者は、バイアス電流を直ちに変更する場合と現在の画像形成ジョブが終了した後にバイアス電流を変更する場合とを選択指示することができる。
【０１２０】
６．発明特定事項と実施形態との対応関係
本実施形態では、レーザダイオードＬＤが特許請求の範囲に記載された半導体レーザに相当し、ポリゴンミラー４０２が特許請求の範囲に記載された偏向走査手段に相当し、フォトダイオードＰＤが特許請求の範囲に記載された光量検出手段に相当し、Ｓ１３が特許請求の範囲に記載された第１のバイアス電流値判定手段に相当する。
【０１２１】
また、Ｓ２９が特許請求の範囲に記載されたバイアス電流値決定手段に相当し、Ｓ９が特許請求の範囲に記載された第１のレーザ駆動手段に相当し、Ｓ１が特許請求の範囲に記載された第２のレーザ駆動手段に相当し、Ｓ５が特許請求の範囲に記載された第２のバイアス電流値判定手段に相当する。
【０１２２】
さらに、ファクシミリ回路７２０が特許請求の範囲に記載されたファクシミリデータ受信手段に相当し、記憶装置７１０、Ｓ２１、Ｓ２７が特許請求の範囲に記載されたファクシミリデータ保持手段に相当し、Ｓ１９、Ｓ２５が特許請求の範囲に記載された選択入力手に相当する。
【０１２３】
（その他の実施形態）
上述の実施形態では、ファクシミリ機能を備える多機能装置に本発明を適用したが、本発明はこれに限定されるものではない。
【０１２４】
また、上述の実施形態では、ファクシミリモード時において、バイアス電流が不適切な電流値であると判定された場合には、ファクシミリデータを記憶したが、本発明はこれに限定されるものではない。
【０１２５】
また、上述の実施形態では、プリンタモード時にバイアス電流が不適切な電流値であると判定されたときに、バイアス電流を直ちに変更する場合と現在の画像形成ジョブが終了した後にバイアス電流を変更する場合とを使用者に選択させたが、本発明はこれに限定されるものではない。
【０１２６】
また、上述の実施形態では、第１ＢＤセンサ４２１は走査開始側に配設され、第２ＢＤセンサ４２２は走査終了側に配設されていたが、本発明はこれに限定されるものではなく、例えば、第１ＢＤセンサ４２１を走査終了側に配設し、第２ＢＤセンサ４２２を走査開始側に配設する、又は第１ＢＤセンサ４２１及び第２ＢＤセンサ４２２の両者を走査開始側若しくは走査終了側に配設してもよい。
【０１２７】
また、上述の実施形態では、レーザプリンタ部１００として、タンデム方式のカラーレーザプリンタを採用したが、本発明はこれに限定されるものではなく、４サイクル方式のカラーレーザプリンタ又はモノクロレーザプリンタにも適用できる。
【０１２８】
また、本発明は、特許請求の範囲に記載された発明の趣旨に合致するものであればよく、上述の実施形態に限定されるものではない。
【図面の簡単な説明】
【０１２９】
【図１】本発明の実施形態に係る多機能装置１の全体斜視図である。
【図２】レーザプリンタ部１００の要部を示す側断面図である。
【図３】（ａ）はスキャナユニット４００の概略構成を示す上面図であり、（ｂ）はポリゴンミラー４０２に偏向されるレーザ光を示す説明図である。
【図４】スキャナユニット４００断面図である。
【図５】多機能装置の制御系の概要を表すブロック図である。
【図６】原点検出信号、ビデオ信号及びモニタ信号と時間との関係を示すタイムチャートである。
【図７】御装置７００で実行されるバイアス電流（閾値）の補正制御フローを示すフローチャートである。
【符号の説明】
【０１３０】
１…多機能装置、１００…レーザプリンタ部、１０３…筐体、１０５…排紙トレイ、
１０７…排出部、２００…画像形成部、３００…フィーダ部、３０１…給紙トレイ、
３０３…給紙ローラ、３０７…搬送ローラ、３０９…加圧ローラ、
３１１…レジストローラ、３１３…レジストコロ、３５０…搬送機構、
３５１…駆動ローラ、３５３…従動ローラ、３５５…搬送ベルト、
３６０…ベルトクリーナ、３９０…排出ローラ、４００…スキャナユニット、
４０２…ポリゴンミラー、４０３…電動モータ、４０４…シリンドリカルレンズ、
４０５…ｆθレンズ、４０６…反射ミラー、４０７…反射ミラー、
４０８ｃ…トーリックレンズ、４０８ｋ…トーリックレンズ、
４０８ｍ…トーリックレンズ、４０８ｙ…トーリックレンズ、４０９…反射ミラー、
４１１…反射ミラー、４１２…シリンドリカルレンズ、４１３…ｆθレンズ、
４１４…反射ミラー、４１６…反射ミラー、４１７…反射ミラー、
４１８…反射ミラー、４２１…センサ、４２１…第１ＢＤセンサ、
４２２…第２ＢＤセンサ、５００…プロセスカートリッジ、
５００…プロセスカートリッジ、５１０…感光ドラム、５２０…帯電器、
５３０…トナー収容部、５３１…トナー収容室、５３２…トナー供給ローラ、
５３３…現像ローラ、５３４…層厚規制ブレード、５６０…ケーシング、
５７０…転写ローラ、６００…定着ユニット、６１０…加熱ローラ、
６２０…加圧ローラ、７００…制御装置、７０１…高速変調回路、
７０２…ＬＤパワー制御部、、７０３…ＰＷＭ／Ａ変換部、
７０４…基準電圧設定部、７０５…比較回路エラーアンプ、
７０７…バイアス制御部、７０８…ＰＷＭ／Ａ変換部、
７０８…及びＰＷＭ／Ａ変換部、７０９…ＬＤバイアス電流制御回路、
７１０…記憶装置、７２０…ファクシミリ回路、７３０…画像読取部、
ＬＤ…レーザダイオード、ＰＤ…フォトダイオード、ＶＲ…可変抵抗器。
【図１】
2008020808.tif 000003
【図２】
2008020808.tif 000004
【図３】
2008020808.tif 000005
【図４】
2008020808.tif 000006
【図５】
2008020808.tif 000007
【図６】
2008020808.tif 000008
【図７】
2008020808.tif 000009